(57)【要約】【課題】  大掛かりな装置や面倒な操作及び管理を要することなく、簡易な構成によって収容物の乾燥や脱臭を効果的に行うことのできる換気機能付き収納を提供する。【解決手段】  玄関収納として用いられ、内部の空気を入れ換えて、収容物の乾燥や脱臭を行えるようにした換気機能付き収納１０であって、中空ボックス形状を有する箱体１２の側面板１４上部に開口形成された給気開口１３と、箱体１２の床面板１５の下方において、巾木部材１６によって周囲を囲まれて形成された排気溜まり部１７と、箱体１２の内部の収納空間１８における給気開口１３と略対角位置に配置されて、箱体１２の床面板１５に開口形成された排気開口１９と、排気溜まり部１７に設けられて、給気開口１３から排気開口１９を経て排気溜まり部１７に流入すると共に、排気溜まり部１７から外部に排出される空気の流れを生じさせる換気装置２０とを備える。【選択図】      図１
2005160674.tif 000002
【特許請求の範囲】
【請求項１】
玄関収納又はキッチン収納として用いられ、内部の空気を入れ換えて、収容物の乾燥や脱臭を行えるようにした換気機能付き収納であって、
中空ボックス形状を有する箱体の側面板上部に開口形成された給気開口と、前記箱体の床面板の下方において、巾木部材によって周囲を囲まれて形成された排気溜まり部と、前記箱体の内部の収納空間における前記給気開口と略対角位置に配置されて、前記箱体の床面板に開口形成された排気開口と、前記排気溜まり部に設けられて、前記給気開口から前記排気開口を経て前記排気溜まり部に流入すると共に、前記排気溜まり部から外部に排出される空気の流れを生じさせる換気装置とを備える換気機能付き収納。
【請求項２】
前記箱体の内部の収納空間を左右に分割する仕切り板が設けられている請求項１記載の換気機能付き収納。
【請求項３】
前記排気溜まり部は床下基礎空間と接続しており、前記排気溜まり部に流入した空気は前記床下基礎空間に排出される請求項１又は２に記載の換気機能付き収納。
【請求項４】
高気密性住宅に設置される玄関収納又はキッチン収納として用いられ、前記排気溜まり部は前記高気密性住宅の集中排気エリアと接続しており、前記排気溜まり部に流入した空気は前記集中排気エリアを介して屋外に排出される請求項１〜３のいずれかに記載の換気機能付き収納。
【発明の詳細な説明】
【技術分野】
【０００１】
本発明は、換気機能付き収納に関し、特に玄関収納又はキッチン収納として用いられ、内部の空気を入れ換えて、収容物の乾燥や脱臭を行えるようにした換気機能付き収納に関する。
【背景技術】
【０００２】
例えば住宅建築物の玄関部分やキッチン部分に設置される玄関収納やキッチン収納は、中空ボックス形状を有する箱体を外郭部として、これの内側に仕切板や棚板、引き戸棚等を設け、箱体の内部の収納空間を、収納として使用しやすいように適宜区画すると共に、箱体の正面部には、例えば開戸形式の開閉扉が設けられ、この開閉扉を開閉しつつ、靴や傘、その他の家庭用品や、調理器具、食器、食品等を収容したり取り出したりできるようになっている。
【０００３】
また、このような玄関収納やキッチン収納によれば、収容される収容物が、例えば靴、傘等の、汗や汚れによる臭気や湿気を含むものである場合や、洗浄後の調理器具、食器等の、多くの水分を含むものである場合、或いはキッチン収納に生ゴミ用のゴミ入れが設置されている場合などには、収納の内部に湿気や臭気がこもってカビ等が発生しやすくなると共に、収容物の乾燥が遅くなり、また周囲に気になる臭いを漂わせやすくなる。また開閉扉を開放した際には、いやな臭いを周囲に発散させることになる。
【０００４】
これに対して、例えば玄関収納としての下駄箱に温風発生器を設けて、履物や傘の乾燥の促進を図るようにした乾燥機能付下駄箱や、除湿器、強制送気用ファン、脱臭剤容器、防塵用フィルタ等を設けて、内部で空気を還流循環させつつ履物類の湿気や臭いを除去できるようにしたシューズボックス等が開発されている（例えば、特許文献１、特許文献２参照）。
【特許文献１】実開平３−１３８３２号公報
【特許文献２】実開平４−７４０５４号公報
【発明の開示】
【発明が解決しようとする課題】
【０００５】
しかしながら、上記玄関収納に収納された収容物の乾燥や、湿気、臭いの除去を促進するようにした技術によれば、温風発生器や除湿器等の大掛かりな装置を必要とし、コストが高くなると共に、これらの装置を２４時間稼働しておくことは却って不経済であることから、稼働や停止を切り替える必要を生じて、その操作及び管理が面倒になる。
【０００６】
一方、近年、住宅内の熱効率を高めるようにした住宅建築物として、気密性能に優れた気密性住宅が種々提案されており、このような気密性住宅によれば、屋内の空気を、長時間滞留させることなく、所定のサイクルで屋外の新鮮な空気と順次入れ替えることができるように制御し、屋内のフレッシュな空調環境が常に得られるようにすることを目的として、２４時間計画換気が行われるようになっている。２４時間計画換気は、住宅建築物の外壁部や床部、天井部等に設けられた給気用開口や排気用開口に、給気ファンや排気ファンを設置し、これらを２４時間稼働させて、所定の空気量の空気が、常時入れ替えられるようにして供給排出されるようにするものである。また、このような気密性住宅では、住宅内に設けたダクトや、天井裏や床下に設けた集中排気エリアを介して、内部の空気を集中して外部に排出するようにしたものも提案されている。そして、このような気密性住宅では、給気ファンや排気ファンによる２４時間計画換気に組み込んで、玄関収納やキッチン収納における収容物の乾燥や脱臭を行えるようにすることにより、さらに効率良くこれらの乾燥や脱臭を行うことが可能になるものと考えられる。
【０００７】
本発明は、このような従来の課題に着目してなされたもので、大掛かりな装置や面倒な操作及び管理を要することなく、簡易な構成によって、玄関収納やキッチン収納に収容された収容物の乾燥や脱臭を効果的に行うことのできる換気機能付き収納を提供することを目的とする。また、本発明は、気密性住宅における２４時間計画換気に組み込んで、さらに効率良く玄関収納やキッチン収納に収容された収容物の乾燥や脱臭を行うことのできる換気機能付き収納を提供することを目的とする。
【課題を解決するための手段】
【０００８】
本発明は、玄関収納又はキッチン収納として用いられ、内部の空気を入れ換えて、収容物の乾燥や脱臭を行えるようにした換気機能付き収納であって、中空ボックス形状を有する箱体の側面板上部に開口形成された給気開口と、前記箱体の床面板の下方において、巾木部材によって周囲を囲まれて形成された排気溜まり部と、前記箱体の内部の収納空間における前記給気開口と略対角位置に配置されて、前記箱体の床面板に開口形成された排気開口と、前記排気溜まり部に設けられて、前記給気開口から前記排気開口を経て前記排気溜まり部に流入すると共に、前記排気溜まり部から外部に排出される空気の流れを生じさせる換気装置とを備える換気機能付き収納を提供することにより、上記目的を達成したものである。
【０００９】
ここで、上記記載において、箱体の内部の収納空間における給気開口と略対角位置とは、箱体の側面板上部に開口形成された給気開口から収納空間を横切るようにして斜め下方の角部に向かう対角方向において、給気開口と最も離れた部分の床面板に排気開口が配置されることを意味するものであり、給気開口と排気開口とが、４角形の対角線上に各々正確に位置決めされていることを要するものではない。
【００１０】
そして、本発明の換気機能付き収納は、前記箱体の内部の収納空間を左右に分割する仕切り板が設けられていても良い。
【００１１】
また、本発明の換気機能付き収納は、前記排気溜まり部を床下基礎空間と接続し、前記排気溜まり部に流入した空気を前記床下基礎空間に排出するようにすることが好ましい。
【００１２】
さらに、本発明の換気機能付き収納は、高気密性住宅に設置される玄関収納又はキッチン収納として用いられ、前記排気溜まり部を前記高気密性住宅の集中排気エリアと接続し、前記排気溜まり部に流入した空気を前記集中排気エリアを介して屋外に排出するようにすることが好ましい。
【発明の効果】
【００１３】
本発明の換気機能付き収納によれば、大掛かりな装置や面倒な操作及び管理を要することなく、簡易な構成によって、玄関収納やキッチン収納に収容された収容物の乾燥や脱臭を効果的に行うことができる。また、本発明の換気機能付き収納によれば、気密性住宅における２４時間計画換気に組み込んで、さらに効率良く玄関収納やキッチン収納に収容された収容物の乾燥や脱臭を行うことができる。
【発明を実施するための最良の形態】
【００１４】
本発明の好ましい第１実施形態に係る換気機能付き収納１０は、図１〜図３に示すように、例えば２４時間計画換気が行われる高気密性住宅として構築された木造の住宅建築物１１の玄関部分に設けられて、玄関収納として用いられるものである。
【００１５】
すなわち、本第１実施形態の換気機能付き収納１０は、玄関収納として用いられ、内部の空気を入れ換えて、収容物である靴類や傘等の乾燥や脱臭を行えるようにした収納であって、中空ボックス形状を有する箱体１２の側面板１４上部に開口形成された給気開口１３と、箱体１２の床面板１５の下方において、巾木部材１６によって周囲を囲まれて形成された排気溜まり部１７と、箱体１２の内部の収納空間１８における給気開口１３と略対角位置に配置されて、箱体１２の床面板１５に開口形成された排気開口１９と、排気溜まり部１７に設けられて、給気開口１３から排気開口１９を経て排気溜まり部１７に流入すると共に、排気溜まり部１７から外部に排出される空気の流れを生じさせる換気装置２０とを備えている。
【００１６】
また、本第１実施形態によれば、箱体１２は、背の高い６面体形状のトールボックス１２ａと、背の低い６面体形状のカウンターボックス１２ｂとを、各側面接合板１４ａ，１４ｂを密着接合することにより一体化して形成されており、密着接合された部分の側面接合板１４ａ，１４ｂを仕切板２１として、箱体１２の内部の収納空間１８は、トールボックス１２ａによる縦長収納空間１８ａと、カウンターボックス１２ｂによる横長収納空間１８ｂとに左右に分割されている。
【００１７】
さらに、本第１実施形態によれば、住宅建築物１１は高気密性住宅となっており、排気溜まり部１７は、住宅建築物１１の床下基礎空間２２に形成された集中排気エリア２３と接続していることより、排気溜まり部１７に流入した空気は、この床下基礎空間２２を経て当該床下基礎空間２２に設けられた集中排気エリア２３を介して屋外に排出されるようになっている。
【００１８】
箱体１２を構成するトールボックス１２ａは、例えば巾４００〜９００ｍｍ，奥行２５０〜４５０ｍｍ，高さ８００〜２０００ｍｍ程度の大きさの縦長の中空箱形形状を有しており、内部には、靴類等を整理した状態で収容しておくのに便利なように、複数の棚板２４ａが適宜取り外し可能に取り付けられていると共に、正面部に設けられた開戸形式の開閉扉２５ａを介してトールボックス１２ａを開閉できるようになっている。また、トールボックス１２ａのカウンターボックス１２ｂとは反対側に配置される側面板１４の上部には、最上段の棚板２４ａよりも上方に配置されて、例えば給気ガラリからなる給気開口１３が開口形成されている。さらに、トールボックス１２ａの床面板１５ａは、巾木部材１６によって玄関の床２６よりも嵩上げされて設置されると共に、この巾木部材１６によって周囲を囲まれる中空部分を、必要に応じてトールボックス１２ａの下方の排気溜まり部として用いることができるようになっている。
【００１９】
さらにまた、トールボックス１２ａのカウンターボックス１２ｂと接合される側の接合側面板１４ａには、仕切板２１を構成するトールボックス１２ａ及びカウンターボックス１２ｂの各接合側面１４ａ，１４ｂを貫通して、例えばスリーブ開口からなる接合部給気開口２７が、カウンターボックス１２ｂ内の最上段の棚板２４ｂよりも上方に配置されて開口形成されており、この接合部給気開口２７を介して、給気開口１３から流入した空気を、トールボックス１２ａの縦長収納空間１８ａを経てカウンターボックス１２ｂの横長収納空間１８ｂに供給することができるようになっている。
【００２０】
なお、本第１実施形態によれば、トールボックス１２ａの上方には、上方収納部２８が、その内部の収納空間を箱体１２の内部の収納空間１８と連通させることなく独立した収納として設けられている。またトールボックス１２ａは、給気開口１３を介したその内部へのフレッシュな空気のスムーズな流入が可能となるように、給気開口１３を開口形成した側面板１４を周囲のものから少なくとも３０〜５０ｃｍ程度離した状態で設置されることになる。さらに、トールボックス１２ａ内の棚板２４ａ及びカウンターボックス１２ｂ内の棚板２４ｂは、何れも、例えばトールボックス１２ａやカウンターボックス１２ｂの奥行きよりも短い巾の板部材となっており、これによって、縦長収納空間１８ａや横長収納空間１８ｂの内部における空気の上下左右への移動を遮断しないようになっている。
【００２１】
トールボックス１２ａと共に箱体１２を構成するカウンターボックス１２ｂは、例えば巾４００〜９００ｍｍ，奥行２５０〜４５０ｍｍ，高さ８００〜１１００ｍｍ程度の大きさの横長の中空箱形形状を有しており、内部には、靴類等を整理した状態で収容しておくのに便利なように、複数の棚板２４ｂが適宜取り外し可能に取り付けられていると共に、正面部に設けられた開戸形式の開閉扉２５ｂを介してカウンターボックス１２ｂを開閉できるようになっている。また、カウンターボックス１２ｂのトールボックス１２ａと接合される側の接合側面板１４ｂには、トールボックス１２ａ及びカウンターボックス１２ｂの各接合側面板１４ａ，１４ｂを貫通する上記接合部給気開口２７が最上段の棚板２４ｂよりも上方に配置されて開口形成されている。さらに、カウンターボックス１２ｂの床面板１５ｂは、巾木部材１６によって玄関の床２６よりも嵩上げされて設置されると共に、この巾木部材１６によって周囲を囲まれる中空部分は、箱体１２の床面板１５ｂの下方に設けられる排気溜まり部１７を構成している。
【００２２】
さらにまた、本第１実施形態によれば、カウンターボックス１２ｂの床面板１５ｂには、箱体１２の側面板１４上部に開口形成された給気開口１３、及びカウンターボックス１２ｂの接合側面板１４ｂ上部に開口形成された接合部給気開口２７の双方に対して略対角位置である、給気開口１３，２７から最も離れたトールボックス１２ａと反対側の側面板１４ｃに近接する部分に配置されて、例えば給気ガラリからなる矩形形状の排気開口１９が開口形成されている。また排気開口１９の下方の排気溜まり部１７には、換気装置２０として、例えばミニグリル（ターボファン）が、その排気口を床下基礎空間２２に向けて設置されている。
【００２３】
ここで、本第１実施形態によれば、排気開口１９は、カウンターボックス１２ｂの奥部に位置して床面板１５ｂに開口形成されており、これによって、開閉扉２５ｂやこれの隙間から流入する空気をも換気用の空気として効果的に利用しつつ、換気機能付き収納１０の内部の換気をさらに促進できるようになっている。また、カウンターボックス１２ｂの床面板１５ｂには、排気開口１９の開閉扉２５ｂ側に隣接して配置されて、開閉可能な矩形形状の床点検口２９が設けられており、この床点検口２９を介して、換気装置２０のメンテナンスを行うことができるようになっている。
【００２４】
さらに、本第１実施形態によれば、換気装置２０の排出口が開口する床下基礎空間２２は、例えば高気密性住宅１１の断熱基礎の立ち上がり部分によって周囲を囲まれて、玄関及び１階居室部分の床２６の下方に形成される中空部分である。本実施形態によれば、床下基礎空間２２には、高気密性住宅１１の２４時間計画換気を効率良く行うための集中排気エリア２３が設けられており、排気口を床下基礎空間２２に向けて開口させた換気装置２０は、ダクト３０を介してこの集中排気エリア２３に接続すると共に、この集中排気エリア２３に設けられた集中換気装置３１によって、気密性住宅１１の２４時間計画換気に組み込まれた状態で、排気溜まり部１７に流入した空気をスムーズに排出できるようになっている。
【００２５】
そして、上述の構成を有する本第１実施形態の換気機能付き収納１０によれば、大掛かりな装置や面倒な操作及び管理を要することなく、簡易な構成によって、玄関収納に収容された靴類等の収容物の乾燥や脱臭を効果的に行うことができる。すなわち、本第１実施形態によれば、箱体１２の側面板１４上部に給気開口１３を設けると共に、これと略対角位置の床面板１５ｂに排気開口１９を設け、且つ箱体１２の床面板１５ｂの下方に排気溜まり部１７を設けてこれに設置した換気装置２０により収納空間１８に空気の流れを生じさせることによって換気を行うので、温風発生器や除湿器等の大掛かりな装置を要することなく、且つ面倒な操作や管理を要することなく、僅かな電力消費の換気装置２０を例えば２４時間稼働せつつ、簡易な構成によって収納空間１８の換気を行いながら、収容物の乾燥や脱臭を効果的に行うことが可能になる。
【００２６】
また、本第１実施形態の換気機能付き収納１０は、上述のように気密性住宅における２４時間計画換気に容易に組み込んで用いることができ、集中排気エリア２３に設置した集中換気装置３１による換気と相俟って、さらに効率良く収納空間１８の換気を行うことが可能になる。さらに、集中排気エリア２３までダクト３０を配管することにより、床下から部屋側へ空気がリターンすることもなくなるため、床下暖房を行うことも可能になる。
【００２７】
なお、本第１実施形態によれば、箱体１２として、トールボックス１２ａとカウンターボックス１２ｂとを一体化したものを用いたが、トールボックス１２ａやカウンターボックス１２ｂを各々独立した箱体として、本発明を適用することもできる。すなわち、トールボックス１２ａの床面板１５ａに排気開口を設けてこれの下方の排気溜まり部に空気を流入させるこもでき、カウンターボックス１２ｂの接合側面板１４ｂに形成された接合部給気開口２７を、外部からの空気の流入口として用いることもできる。また、トールボックス１２ａの下方の排気溜まり部と、カウンターボックス１２ｂの下方の排気溜まり部１７とを連通一体化して、各収納空間１８ａ，１８ｂから流入した空気をまとめて床下基礎空間２２に排出するようにしても良い。
【００２８】
図４は、本発明の第２実施形態に係る、キッチン収納として用いられる換気機能付き収納４０を示すものであり、本第２実施形態の換気機能付き収納４０によれば、中空ボックス形状を有する箱体４１の側面板上部に開口形成された給気開口４２と、箱体４１の床面板４３の下方において、巾木部材４４によって周囲を囲まれて形成された排気溜まり部４５と、箱体４１の内部の収納空間４６における給気開口４２と略対角位置に配置されて、箱体４１の床面板４３に開口形成された排気開口４７と、排気溜まり部４５に設けられて、給気開口４２から排気開口４７を経て排気溜まり部４５に流入すると共に、排気溜まり部４５から外部に排出される空気の流れを生じさせる、例えば換気扇からなる換気装置４８とを備えている。
【００２９】
また、本第２実施形態によれば、箱体４１の内部の収納空間４６を左右に分割する仕切り板４９が設けられていると共に、この仕切板４９には、上下に配置されて一対のスリーブ開口５０が形成されており、給気開口４２から流入した外部の空気は、これらのスリーブ開口５０を経て排気開口４７に向けて流れるようになっている。さらに、本第２実施形態によれば、排気溜まり部４５は、ダクト５１を介して床下基礎空間５２に形成された集中排気エリア５３と接続しており、排気溜まり部４５に流入した空気は、集中排気エリア２３から集中換気装置５４によって屋外に排出されるようになっている。
【００３０】
図５は、本発明の第３実施形態に係る、キッチン収納として用いられる換気機能付き収納５５を示すものであり、本第３実施形態の換気機能付き収納５５によれば、箱体５６の内部の収納空間５７は、気密状態で仕切ることが可能な仕切板５８によって、左右の収納空間５７ａ，５７ｂに仕切られており、一方の収納空間５７ａには食器５９等が、他方の収納空間５７ｂにはゴミ箱６０等が収容されるようになっている。そして、第１給気開口６１ａから一方の収納空間５７ａ流入した外部の空気は、第１排気開口６２ａを介して箱体５６の下方の排気溜まり部６３に流入し、第２給気開口６１ｂから他方の収納空間５７ｂ流入した外部の空気は、第２排気開口６２ｂを介して箱体５６の下方の排気溜まり部６３に流入するようになっている。
【００３１】
本第３実施形態によれば、ゴミ箱６０等が収容された他方の収納空間５７ｂに流入した空気を、食器５９等が収容された一方の収納空間５７ａに流入した空気と混合させることなく、排気溜まり部６３に直接流出させることができると共に、排気溜まり部６３において一方の収納空間５７ａから流出した空気と混合しつつ、排気溜まり部６３の下部に設けた換気装置６４を介して、外部に排出することができるようになっている。
【００３２】
図６は、本発明の第４実施形態に係る、トールタイプのキッチン収納として用いられる換気機能付き収納６５を示すものであり、本第４実施形態の換気機能付き収納６５によれば、箱体６６の内部の収納空間６７は、２枚の水平仕切板６８によって、上下に３段に分割されており、各水平仕切り板６８には、スリーブ開口６９が設けられている。本第４実施形態によれば、給気開口７０から収納空間６７流入した外部の空気は、スリーブ開口６９を介して水平仕切り板６８を通過しつつ下方に流下し、給気開口７０と略対角位置に開口形成された排気開口７１を介して排気溜まり部７２に流入することになる。
【００３３】
そして、上記第２実施形態〜第４実施形態に係る換気機能付き収納４０，５５，６５によっても、
上記第１実施形態の換気機能付き収納１０と同様の作用効果を奏することになる。
【００３４】
なお、本発明は上記各実施形態に限定されることなく種々の変更が可能である。例えば、本発明の換気機能付き収納は、高気密性住宅に設置される玄関収納又はキッチン収納として用いられる必要は必ずしもなく、その他の一般の住宅に設けられる収納として用いることもできる。また、排気溜まり部に流入した空気を、床下基礎空間や集中排気エリアを介して屋外に排出する必要は必ずしもなく、湿った空気を排出しても支障のないその他のエリアを介して屋外に排出するようにしても良い。
【図面の簡単な説明】
【００３５】
【図１】本発明の第１実施形態に係る換気機能付き収納の構成を説明する、当該収納を正面から視た断面図である。
【図２】本発明の第１実施形態に係る換気機能付き収納の正面図である。
【図３】本発明の第１実施形態に係る換気機能付き収納が設けられた高気密性住宅の説明図である。
【図４】本発明の第２実施形態に係る換気機能付き収納の構成を説明する略示正面図である。
【図５】本発明の第３実施形態に係る換気機能付き収納の構成を説明する略示正面図である。
【図６】本発明の第４実施形態に係る換気機能付き収納の構成を説明する略示正面図である。
【符号の説明】
【００３６】
１０，４０，５５，６５  換気機能付き収納
１１  住宅建築物（高気密性住宅）
１２，４１，５６，６６  箱体
１２ａ  トールボックス
１２ｂ  カウンターボックス
１３，４２，７０  給気開口
１４  側面板
１４ａ，１４ｂ  側面接合板
１５，１５ａ，１５ｂ，４３  床面板
１６，４４  巾木部材
１７，４５，６３，７２  排気溜まり部
１８，１８ａ，１８ｂ，４６，５７，５７ａ，５７ｂ，６７  収納空間
１９，４７，６２ａ，６２ｂ，７１  排気開口
２０，４８  換気装置
２１，４９，５８  仕切板
２２，５２  床下基礎空間
２３，５３  集中排気エリア
２４ａ，２４ｂ  棚板
２５ａ，２５ｂ  開閉扉
２７  接合部給気開口
３０，５１  ダクト
３１，５４  集中換気装置
【図１】
2005160674.tif 000003
【図２】
2005160674.tif 000004
【図３】
2005160674.tif 000005
【図４】
2005160674.tif 000006
【図５】
2005160674.tif 000007
【図６】
2005160674.tif 000008